(57)【要約】      （修正有）【課題】標準規格光ディスクと超小型ディスクの両方の読み取りを可能にする。【解決手段】光ディスクドライブの中央に位置し、標準規格光ディスクを装着するターンテーブルが搭載される第１回転部１１０と、第１回転部の一側面に位置し、超小型ディスク１４０を装着するターンテーブルが搭載される第２回転部１２０と、第１回転部と第２回転部との間に位置して、第１回転部と第２回転部との間に回転動力を伝達する動力伝達部１３０と、第１回転部、第２回転部、及び動力伝達部の全体的な形態を維持しつつ、固定された位置で回転できるように支持するハウジング１６０とから構成される光ディスクドライブアダプターである。これにより、別途の超小型光ディスクドライブを購入する必要なく、既存の標準規格光ディスクドライブを利用して超小型光ディスクを駆動させることができる。【選択図】図１
2008091004.tif 000002
【特許請求の範囲】
【請求項１】
光ディスクドライブの中央に位置し、標準規格光ディスクを装着するターンテーブルが搭載される第１回転部と、
前記第１回転部の一側面に位置し、超小型ディスクを装着するターンテーブルが搭載される第２回転部と、
前記第１回転部と前記第２回転部との間に位置して、前記第１回転部と前記第２回転部との間に回転動力を伝達する動力伝達部と、
前記第１回転部、第２回転部、及び動力伝達部の全体的な形態を維持しつつ、固定された位置で回転できるように支持するハウジングと
を備えることを特徴とする光ディスクドライブアダプター。
【請求項２】
前記第１回転部、第２回転部、及び動力伝達部は、いずれもギアからなることを特徴とする請求項１に記載の光ディスクドライブアダプター。
【請求項３】
前記第１回転部、第２回転部、及び動力伝達部のうちいずれか一つは、光ディスクドライブのスピンドルモーターと連結されて回転動力を得ることを特徴とする請求項１に記載の光ディスクドライブアダプター。
【請求項４】
前記第１及び第２回転部は、同じサイズであり、同じ方向に回転することを特徴とする請求項１に記載の光ディスクドライブアダプター。
【請求項５】
前記第２回転部及び動力伝達部は、それぞれ複数個が配置されて、複数個の超小型ディスクが搭載されるようにすることを特徴とする請求項１に記載の光ディスクドライブアダプター。
【請求項６】
前記第２回転部は、磁気クランプを利用して超小型ディスクを装着することを特徴とする請求項１に記載の光ディスクドライブアダプター。
【請求項７】
前記第１回転部、第２回転部、及び動力伝達部を保護し、全体的なアダプターの形態を維持するハウジング上板をさらに備えることを特徴とする請求項１に記載の光ディスクドライブアダプター。
【請求項８】
前記ハウジング上板は、前記ハウジングと同じサイズの円形であり、前記第１回転部の中心軸と第２回転部とが露出された構造を有することを特徴とする請求項７に記載の光ディスクドライブアダプター。
【請求項９】
前記ハウジング上板の露出された構造は、円形またはＵ字状に一部開放されていることを特徴とする請求項８に記載の光ディスクドライブアダプター。
【発明の詳細な説明】
【技術分野】
【０００１】
本発明は、光ディスクドライブアダプターに係り、さらに詳細には、モバイル機器等に使用する硬貨サイズほどの超小型光ディスクを駆動させるために、ＣＤ(Ｃｏｍｐａｃｔ  ｄｉｓｋ)、ＤＶＤ(Ｄｉｇｉｔａｌ  Ｖｅｒｓａｔｉｌｅ  ｄｉｓｋ)及びＢＤ(Ｂｌｕ−ｒａｙ  Ｄｉｓｋ)などの標準規格光ディスクドライブに装着することにより、別途の超小型ディスクドライブを使用せずとも、超小型ディスクが読み取られる装置に関する。
【背景技術】
【０００２】
一般的に知られている光ディスクドライブは、標準規格の直径１２ｃｍ及び８ｃｍであるディスクを装着して最も安価な保存装置に属する。ハードディスク及びフラッシュメモリなどの保存装置に比べて、アクセスタイムなどの動作速度が遅いという短所があるが、ディスクが着脱可能であるため、携帯が容易であり、低価で大量配布が可能な点などが有利である。また、音楽、映画、文字などのマルチメディアファイルやゲーム、ソフトウェアなど、大容量プログラムのメディアコンテンツを保存できるＲＯＭディスクを製作できる点が、光ディスクだけの唯一の特性であり、強い点である。
【０００３】
最近では、モバイル機器の発展につれて超小型の大容量保存装置に対する需要が増加しており、レストランでパーティーだけで、フラッシュメモリ及び超小型ハードディスクが、使用の便利さ及び保存容量の大きい点などの長所によって多く要望されている。しかし、映画及び音楽鑑賞のためのＲＯＭメディアの需要が増加し、高級化する場合、超小型のモバイル光ディスクＲＯＭメディアが商品化できると期待される。この場合、超小型ディスクのサイズは、硬貨サイズから直径５ｃｍ内外までさまざまな種類が可能であり、どの規格が標準となるかは確かではない。
【０００４】
超小型ディスクを再生し、記録するためのドライブと標準規格ドライブとは、基本的に同じピックアップヘッドを使用できるが、ディスクを装着するためのハブのサイズは、一般的に超小型ディスクの直径を超えるため、装着が困難である。そのため、従来の標準規格光ドライブには装着できないため、別途の超小型専用ドライブを製作しなければならない。しかし、超小型光ドライブは、製作することが難しく、まだ標準化しておらず、商品化された後にも価格が高いものと予想される。
【０００５】
既に従来技術では、標準規格ディスクと超小型ディスクとをいずれも装着できる兼用ドライブが提案されている状態であり、ここには独立した２個のハブを使用している。しかし、この場合にも、一般的に広く使われている標準規格専用の光ディスクドライブと別途に兼用ドライブを製作しなければならないため、需要者の立場では経済的な負担となり、需要も制限的である。
【発明の開示】
【発明が解決しようとする課題】
【０００６】
本発明が解決しようとする技術的課題は、既存に普及した標準規格光ディスクドライブで、超小型ディスクを駆動させるために装着するアダプターを提供することである。
このアダプターは、標準規格ディスクと同じ規格を持つので、別途の措置なしに超小型ディスクを駆動可能にする。
【課題を解決するための手段】
【０００７】
前記技術的課題を解決するための本発明による光ディスクドライブアダプターは、光ディスクドライブの中央に位置し、標準規格光ディスクを装着するターンテーブルが搭載される第１回転部と、前記第１回転部の一側面に位置し、超小型ディスクを装着するターンテーブルが搭載される第２回転部と、前記第１回転部と前記第２回転部との間に位置して、前記第１回転部と前記第２回転部との間に回転動力を伝達する動力伝達部と、前記第１回転部、第２回転部、及び動力伝達部の全体的な形態を維持しつつ、固定された位置で回転できるように支持するハウジングとを備えることを特徴とする。
また、前記第１回転部、第２回転部、及び動力伝達部は、いずれもギアからなることを特徴とする。
【０００８】
また、前記第１回転部、第２回転部、及び動力伝達部のうちいずれか一つは、光ディスクドライブのスピンドルモーターと連結されて回転動力を得ることを特徴とする。
また、前記第１及び第２回転部は、同じサイズであり、同じ方向に回転することを特徴とする。
【０００９】
また、前記第２回転部及び動力伝達部は、それぞれ複数個が配置されて、複数個の超小型ディスクが搭載されるようにすることを特徴とする。
【００１０】
また、前記第２回転部は、磁気クランプを利用して超小型ディスクを装着することを特徴とする。
【００１１】
また、前記第１回転部、第２回転部、及び動力伝達部を保護し、全体的なアダプターの形態を維持するハウジング上板をさらに備えることを特徴とする。
また、前記ハウジング上板は、前記ハウジングと同じサイズの円形であり、前記第１回転部の中心軸と第２回転部とが露出された構造を有することを特徴とする。
【００１２】
また、前記ハウジング上板の露出された構造は、円形またはＵ字状に一部開放されていることを特徴とする。
【発明の効果】
【００１３】
光ディスクドライブアダプターを提供するに当たって、超小型光ディスクを駆動するためには、専用の超小型ディスクドライブが必要であるが、これは、別途の購入が必要であり、広く普及されていないため、結果的に超小型ディスクの使用範囲が制限される。しかし、本発明によれば、既存の標準規格ディスクドライブにアダプターを装着することにより、誰でも容易に超小型ディスクを便利に使用可能になることで、経済的な利益と共に、使用上の便利さが得られる。結果的に、超小型ディスクの需要を拡大させる。
【発明を実施するための最良の形態】
【００１４】
以下、添付された図面を参照して、本発明の望ましい実施形態について詳細に説明する。
【００１５】
図１は、本発明の望ましい一実施形態による光ディスクドライブアダプター形態を示す鳥瞰図及び断面図である。図１を参照すれば、中心回転軸１００、第１回転部１１０、第２回転部１２０、動力伝達部１３０、超小型ディスク１４０、磁気クランプ１５０、ハウジング１６０を備えて構成される。
【００１６】
標準規格ディスクドライブのスピンドルモーターに組み込まれた中心回転軸１００及び第１回転部１１０、これと連結された動力伝達部１３０、最終的に第１回転部と同じ方向と同じ速度で回転する第２回転部１２０、第２回転部に装着される超小型ディスク１４０及びこれを装着するための磁気クランプ１５０が装置されたターンテーブル、及び全体アダプターを支持するハウジング１６０から構成されている。
【００１７】
第１回転部は、スピンドルモーターの回転動力を利用するためのものであり、そのサイズは、固定されず、超小型ディスクのサイズ及び回転数などによって変更できる。また、スピンドルモーターは、第２回転部または動力伝達部に連結されて動作することもある。動力伝達部１３０は、第１回転部の回転動力を第２回転部１２０に伝達するためのものであり、そのサイズは、最大伝達効率のために製作されなければならない。動力伝達部の役割に代わるためには、ギアだけでなく、ベルト形式の動力伝達手段も適用してもよい。第２回転部は、第１回転部と同じ速度と同じ方向に回転するためのものであり、今後超小型ディスクの回転速度などに対する標準規格が決まる場合に、ギアの歯数を調整して変更できる。
【００１８】
また、第２回転部は超小型ディスク１４０を装着するターンテーブルであり、ディスク、ギア、及び余裕空間を含む全体厚さが１．２ｍｍを超えてはならない。第２回転部には、一般的に超小型ディスクを装着する磁気クランプが装置されているが、技術の改善によって効率的なディスク装着方案が設けられる必要がある。この装置もまた標準規格によって、他の方法や改善された形態に変更できる。
【００１９】
図１において、第１回転部、第２回転部、動力伝達部は、いずれも固定された位置で回転するので、これを支持するための支持台としてアダプターカートリッジ形態のハウジング１６０を活用する。図１には下板のみを示し、ここでは標準規格１２０ｍｍ直径のディスクサイズと同一にしたが、そのサイズは、効率性によって最適化できる。
【００２０】
図２は、本発明の望ましい一実施形態による光ディスクドライブアダプターの内部構造を示す図である。図２を参照すれば、前記図１の構成をそのまま有しながらハウジング上板２００をさらに備えて構成される。
【００２１】
上板２００は、光ディスクドライブアダプターの全体形態を維持しつつ、各動力伝達部を保護する役割を行う。上板２００の形態は、下板と同じサイズの円形であり、スピンドルモーターに連結される第１回転部と、超小型ディスクを装着するための第２回転部とを露出するために、図２のようにＵ字状に一部開放された形態である。この形態は、固定されたものではなく、使用上の便宜のために調整できる。
【００２２】
図３は、本発明の望ましい一実施形態による光ディスクドライブアダプターのハウジング上板、下板がいずれも結合された構造を示す図である。図３を参照すれば、図２の構成をそのまま保有している。
【００２３】
このカートリッジ上板及び下板の全体厚さは、アダプターが光ディスクドライブに装着されて作動するに十分な程度であり、十分に保護及び支持台の役割を行えなければならない。ディスクドライブに装着する時には、第２回転部の磁気クランプに超小型ディスクを付着させた後、下板を上側にして超小型ディスクが直接光ピックアップに向けるようにする。光ピックアップの作動範囲は、後述する図４に示すようであり、これは、別途のセンサーを付着するか、または人為的な操作を通じて決定する。
【００２４】
図４は、本発明の望ましい一実施形態による光ディスクドライブアダプターの形態を示す平面図であり、図５は、本発明の望ましい他の一実施形態による光ディスクドライブアダプターの形態を示す平面図である。図４及び図５を参照すれば、図２の構成をそのまま保有している。
【００２５】
図４は、図３の光ディスクドライブアダプターの平面図であり、各ギアの位置及び構造を示す。ここでは、一つの光ディスクドライブアダプターに一つの超小型ディスクを装着したが、図５に示すように、第２回転部及び動力伝達部を複数個配置して、複数個の超小型ディスクを装着してもよい。この場合、全体光ディスクドライブアダプターを超小型ディスクの位置によって移動させるための別途のメカニズムが必要であり、これに関する細部内容は、ここで言及しない。
【００２６】
以上、図面及び明細書で最適の実施形態が開示された。ここで特定の用語が使われたが、これは単に本発明を説明するための目的として使われたものに過ぎず、意味限定や特許請求の範囲上に記載された本発明の範囲を制限するために使われたものではない。したがって、当業者ならば、これより多様な変形及び均等な他実施形態が可能であるという点を理解できるであろう。したがって、本発明の真の技術的保護範囲は、特許請求の範囲の技術的思想により決定されなければならない。
【産業上の利用可能性】
【００２７】
本発明は、ディスクドライブ関連の技術分野に好適に用いられる。
【図面の簡単な説明】
【００２８】
【図１】本発明の望ましい一実施形態による光ディスクドライブアダプター形態を示す鳥瞰図及び断面図である。
【図２】本発明の望ましい一実施形態による光ディスクドライブアダプターの内部構造を示す図である。
【図３】本発明の望ましい一実施形態による光ディスクドライブアダプターのカートリッジ上板、下板がいずれも結合された構造を示す図である。
【図４】本発明の望ましい一実施形態による光ディスクドライブアダプターの形態を示す平面図である。
【図５】本発明の望ましい他の一実施形態による光ディスクドライブアダプターの形態を示す平面図である。
【符号の説明】
【００２９】
１００  中心回転軸
１１０  第１回転部
１２０  第２回転部
１３０  動力伝達部
１４０  超小型ディスク
１５０  磁気クランプ
１６０  ハウジング
２００  ハウジング上板
【図１】
2008091004.tif 000003
【図２】
2008091004.tif 000004
【図３】
2008091004.tif 000005
【図４】
2008091004.tif 000006
【図５】
2008091004.tif 000007